(57)【要約】【課題】ユーザが生体情報を測定するためのモチベーションを上げ、かつ維持する技術を提供することである。【解決手段】本発明の一側面に係る健康管理装置は、開始区画と終了区画とを結ぶ複数の区画を含み、ユーザのコマが前記開始区画から前記終了区画に向かって前記複数の区画を進むように構成される双六を起動する起動部と、前記ユーザの生体情報の測定データを取得する取得部と、前記取得された測定データに基づいて、評価値を判定する判定部と、前記判定された評価値に基づいて、前記双六における前記コマが進む区画数を決定する決定部と、前記決定された区画数に基づいて、前記コマが位置する区画を表す位置情報を更新する更新部と、を具備する。【選択図】図１
2019003569.tif 000002
【特許請求の範囲】
【請求項１】
開始区画と終了区画とを結ぶ複数の区画を含み、ユーザのコマが前記開始区画から前記終了区画に向かって前記複数の区画を進むように構成される双六を起動する起動部と、
前記ユーザの生体情報の測定データを取得する取得部と、
前記取得された測定データに基づいて、評価値を判定する判定部と、
前記判定された評価値に基づいて、前記双六における前記コマが進む区画数を決定する決定部と、
前記決定された区画数に基づいて、前記コマが位置する区画を表す位置情報を更新する更新部と、
を具備する、
健康管理装置。
【請求項２】
前記位置情報が表す区画が前記終了区画となった場合に前記ユーザに対してポイントを付与する付与部をさらに具備する、
請求項１に記載の健康管理装置。
【請求項３】
前記判定部は、前記ユーザの健康状態を表す健康情報を取得し、前記取得された測定データおよび前記健康情報に基づいて前記評価値を判定する、
請求項１または請求項２に記載の健康管理装置。
【請求項４】
前記判定部は、前記取得された測定データが前記取得された健康情報に基づく所定条件を満たさない場合に前記評価値を第１値と判定し、前記取得された測定データが前記取得された健康情報に基づく所定条件を満たす場合に前記評価値を前記第１値よりも評価が高い第２値と判定する、
請求項３に記載の健康管理装置。
【請求項５】
前記決定部は、前記評価値が前記第１値と判定された場合に前記コマが進める区画数を第１数に決定し、前記評価値が前記第２値と判定された場合に前記コマが進める区画数を前記第１数よりも大きい第２数に決定する、
請求項４に記載の健康管理装置。
【請求項６】
前記測定データは、血圧および測定時刻を含む、
請求項１乃至請求項５のいずれか１項に記載の健康管理装置。
【請求項７】
前記測定データは、血圧および測定場所を含む、
請求項１乃至請求項５のいずれか１項に記載の健康管理装置。
【請求項８】
前記測定データは、体重および測定時刻を含む、
請求項１乃至請求項５のいずれか１項に記載の健康管理装置。
【請求項９】
ユーザの健康状態を管理する装置が実行する健康管理方法であって、
開始区画と終了区画とを結ぶ複数の区画を含み、前記ユーザのコマが前記開始区画から前記終了区画に向かって前記複数の区画を進むように構成された双六を起動する過程と、
前記ユーザの生体情報の測定データを取得する過程と、
前記取得された測定データに基づいて、評価値を判定する過程と、
前記判定された評価値に基づいて、前記双六における前記コマが進む区画数を決定する過程と、
前記決定された区画数に基づいて、前記コマが位置する区画を表す位置情報を更新する過程と、
を具備する、
健康管理方法。
【請求項１０】
請求項１乃至８のいずれか１項に記載の健康管理装置が備える各部としてプロセッサを機能させる、
健康管理プログラム。
【発明の詳細な説明】
【技術分野】
【０００１】
この発明は、健康管理装置、健康管理方法、および健康管理プログラムに関する。
【背景技術】
【０００２】
健康管理のために、被測定者（ユーザ）は生体情報の測定を行う必要がある。しかしながら、ユーザによっては、生体情報の測定は忘れがちになる。これに対し、特許文献１では、懸賞付き生体測定システムが提案されている。特許文献１における懸賞付き生体測定システムは、ユーザの測定結果を取得し、測定結果に基づいて懸賞のくじ番号を生成する。上記懸賞付き生体測定システムによれば、ユーザが生体情報を測定するためのモチベーションを上げることができる。また、上記懸賞付き生体測定システムでは、毎日の測定結果を送信することを懸賞のくじの応募資格とすることにより、ユーザによる健康増進や測定忘れの防止を達成することができる。
【先行技術文献】
【特許文献】
【０００３】
【特許文献１】特開２００４−２５８７９２号公報
【発明の概要】
【発明が解決しようとする課題】
【０００４】
特許文献１に記載されたシステムのように、生体情報の測定結果に基づいて懸賞のくじを実施することで、ユーザが生体情報を測定するためのモチベーションを上げることができる。また、懸賞のくじの応募資格を毎日の測定に設定することにより、ユーザによる健康増進や測定忘れの防止を達成することができる。
【０００５】
しかしながら、ユーザの都合によっては、毎日の測定は困難なこともある。特許文献１に記載されたシステムでは、ユーザが１度（１日）測定を忘れると、懸賞のくじの応募資格が失われる。このため、ユーザは、その後の測定に対してモチベーションを下げてしまう。
【０００６】
本発明は、一側面では、このような実情を鑑みてなされたものであり、その目的は、ユーザが生体情報を測定するためのモチベーションを上げ、かつ維持する技術を提供することである。
【課題を解決するための手段】
【０００７】
本発明は、上述した課題を解決するために、以下の構成を採用する。
【０００８】
すなわち、本発明の一側面に係る健康管理装置は、開始区画と終了区画とを結ぶ複数の区画を含み、ユーザのコマが前記開始区画から前記終了区画に向かって前記複数の区画を進むように構成される双六を起動する起動部と、前記ユーザの生体情報の測定データを取得する取得部と、前記取得された測定データに基づいて、評価値を判定する判定部と、前記判定された評価値に基づいて、前記双六における前記コマが進む区画数を決定する決定部と、前記決定された区画数に基づいて、前記コマが位置する区画を表す位置情報を更新する更新部と、を具備する。
【０００９】
上記構成によれば、ユーザの生体情報の測定データが取得され、取得されたデータに基づいて双六におけるユーザのコマが進められる。これにより、ユーザが生体情報を測定するためのモチベーションを上げることができる。
【００１０】
また、双六においてコマが進んだ場合、そのコマの位置情報は更新されかつ記憶される。そして、次の測定データが取得されると、位置情報はさらに更新されかつ記憶される。すなわち、随時取得される測定データは、継続して双六に用いられる。これにより、仮にユーザが１度（例えば１日）測定を忘れた場合であっても、ユーザはその後の測定に対してモチベーションを維持することができる。
【００１１】
また、測定データに基づいてその評価値、すなわち、その重要度が判定される。そして、判定された評価値に基づいて、双六におけるコマが進む区画数が決定される。これにより、ユーザが重要度の高い生体情報を測定するためのモチベーションを高くすることができる。
【００１２】
上記一側面に係る健康管理装置において、前記位置情報が表す区画が前記終了区画となった場合に前記ユーザに対してポイントを付与する付与部をさらに具備する。上記構成によれば、コマが終了区画（ゴール）まで進むとポイントが付与されるため、コマがゴールするまでにおいてユーザの測定に対するモチベーションを維持することができる。
【００１３】
上記一側面に係る健康管理装置において、前記判定部は、前記ユーザの健康状態を表す健康情報を取得し、前記取得された測定データおよび前記健康情報に基づいて前記評価値を判定する。上記構成によれば、測定データだけでなく、ユーザの健康情報にも基づいて評価値が判定される。これにより、ユーザ固有の重要度の高い測定データを取得することができ、健康管理の質を高めることができる。
【００１４】
上記一側面に係る健康管理装置において、前記判定部は、前記取得された測定データが前記取得された健康情報に基づく所定条件を満たさない場合に前記評価値を第１値と判定し、前記取得された測定データが前記取得された健康情報に基づく所定条件を満たす場合に前記評価値を前記第１値よりも評価が高い第２値と判定する。上記構成によれば、測定データがユーザの健康情報に基づく所定条件を満たすか否かに基づいて、評価値の高さを判定することができる。
【００１５】
上記一側面に係る健康管理装置において、前記決定部は、前記評価値が前記第１値と判定された場合に前記コマが進める区画数を第１数に決定し、前記評価値が前記第２値と判定された場合に前記コマが進める区画数を前記第１数よりも大きい第２数に決定する。上記構成によれば、評価値が高い場合にコマの進む区画数を多くすることができる。
【００１６】
上記一側面に係る健康管理装置において、前記測定データは、血圧および測定時刻を含む。上記構成によれば、測定データとして血圧および測定時刻から評価値を判定することができる。
【００１７】
上記一側面に係る健康管理装置において、前記測定データは、血圧および測定場所を含む。上記構成によれば、測定データとして血圧および測定場所から評価値を判定することができる。
【００１８】
上記一側面に係る健康管理装置において、前記測定データは、体重および測定時刻を含む。上記構成によれば、測定データとして体重および測定時刻から評価値を判定することができる。
【発明の効果】
【００１９】
本発明によれば、ユーザが生体情報を測定するためのモチベーションを上げ、かつ維持する技術を提供することができる。
【図面の簡単な説明】
【００２０】
【図１】図１は、実施の形態に係る健康管理システムの適用場面の一例を模式的に例示する。
【図２】図２は、実施の形態に係る測定端末のハードウェア構成の一例を模式的に例示する。
【図３】図３は、実施の形態に係るユーザ端末のハードウェア構成の一例を模式的に例示する。
【図４】図４は、実施の形態に係る健康管理装置のハードウェア構成の一例を模式的に例示する。
【図５】図５は、実施の形態に係る健康管理装置における制御部の機能構成の一例を模式的に例示する。
【図６】図６は、実施の形態に係る起動部によって起動される双六の一例を模式的に例示する。
【図７】図７は、実施の形態に係る健康状態と所定条件との対応関係の一例を例示する。
【図８】図８は、実施の形態に係る健康管理装置の処理手順の一例を例示するフローチャートである。
【図９】図９は、実施の形態に係る健康管理装置の処理手順の一例を例示するフローチャートである。
【発明を実施するための形態】
【００２１】
以下、本発明の一側面に係る実施の形態（以下、「本実施形態」とも表記する）を、図面に基づいて説明する。ただし、以下で説明する本実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。なお、本実施形態において登場するデータを自然言語により説明しているが、より具体的には、コンピュータが認識可能な疑似言語、コマンド、パラメータ、マシン語等で指定される。
【００２２】
§１  適用例
まず、図１を用いて、本発明が適用される場面の一例について説明する。図１は、実施の形態に係る健康管理システムの適用場面の一例を模式的に例示する。
【００２３】
図１に示されるとおり、健康管理システムは、測定端末１００、ユーザ端末２００、および健康管理装置３００を含む。
【００２４】
図１に示す健康管理システムにおいて、測定端末１００はユーザ端末２００に例えば無線接続される。ユーザ端末２００および健康管理装置３００は、互いに広域のネットワーク４００を介して接続される。なお、健康管理システムの構成は、図１に示す構成に限定されるものではない。
【００２５】
例えば、測定端末１００は、ユーザ端末２００を介さずに健康管理装置３００に接続されてもよい。また、健康管理装置３００が実現する機能（処理）の一部は、ユーザ端末２００が実施してもよい。
【００２６】
測定端末１００は、例えば、腕時計型のウェアラブルデバイスである。測定端末１００は、ユーザに装着されることで、ユーザの血圧等の生体情報を測定する。そして、測定端末１００は、測定された生体情報、測定時刻、および測定場所等の情報を含む測定データを生成する。
【００２７】
なお、測定端末１００（第１測定端末）以外に、図示せぬ測定端末（第２測定端末）が設けられてもよい。第２測定端末は、例えば、ユーザの体重等の生体情報を測定する。そして、第２測定端末は、測定された生体情報、測定時刻、および測定場所等の情報を含む測定データを生成する。第２測定端末は、ユーザ端末２００に例えば無線接続される。さらに、図示せぬ複数の測定端末が設けられてもよく、これらもユーザ端末２００に例えば無線接続される。
【００２８】
ユーザ端末２００は、例えば、個々のユーザが利用する情報通信端末であり、例えば、スマートフォン、携帯電話、タブレットＰＣ、またはノートＰＣ等の携帯可能な情報通信端末からなる。ユーザ端末２００は、測定端末１００および図示せぬ測定端末からの測定データを健康管理装置３００に転送する。また、ユーザ端末２００は、健康管理装置３００が起動する双六を表示する。
【００２９】
健康管理装置３００は、例えばサービス事業者が使用するサーバである。健康管理装置３００は、起動部３１３、取得部３１４、判定部３１５、決定部３１６、および更新部３１７を含む。起動部３１３は、双六を実行するための双六情報を管理し、双六を起動する。双六は、開始区画と終了区画とを結ぶ複数の区画を含む。また、双六は、ユーザのコマが開始区画から終了区画に向かって複数の区画を進むように構成される。取得部３１４は、測定端末１００で測定されたユーザの生体情報の測定データを取得する。判定部３１５は、取得された測定データに基づいて、測定データの評価値を判定する。決定部３１６は、判定された評価値に基づいて、双六におけるコマが進む区画数を決定する。更新部３１７は、決定された区画数に基づいて、コマが位置する区画を表す位置情報を更新し、更新された位置情報を記憶する。
【００３０】
以上の通り、健康管理装置３００は、ユーザの生体情報の測定データを取得し、取得された測定データに基づいて双六におけるユーザのコマを進める。これにより、ユーザが生体情報を測定するためのモチベーションを上げることができる。
【００３１】
また、健康管理装置３００は、双六においてコマが進んだ場合、そのコマの位置情報を更新しかつ記憶する。そして、健康管理装置３００は、次の測定データを取得すると、位置情報をさらに更新しかつ記憶する。すなわち、随時取得される測定データは、継続して双六に用いられる。これにより、仮にユーザが１度（例えば１日）測定を忘れた場合であっても、ユーザはその後の測定に対してモチベーションを維持することができる。
【００３２】
また、健康管理装置３００は、測定データに基づいて評価値、すなわち、その重要度を判定する。そして、判定された評価値に基づいて、双六におけるコマが進む区画数が決定される。これにより、ユーザが重要度の高い生体情報を測定するためのモチベーションを高くすることができる。従って、ユーザに対して重要度の高い測定データを取得することができ、健康管理の質を高めることができる。
【００３３】
§２  構成例
［ハードウェア構成］
＜測定端末１００＞
次に、図２を用いて、本実施形態に係る測定端末１００のハードウェア構成の一例について説明する。図２は、実施の形態に係る測定端末１００のハードウェア構成の一例を模式的に例示する。
【００３４】
図２に示されるとおり、本実施形態に係る測定端末１００は、制御部１１０、通信部１２０、記憶部１３０、操作部１４０、表示部１５０、生体センサ１６０、および加速度センサ１７０を含む。
【００３５】
制御部１１０は、ＣＰＵ（Central Processing Unit）１１１およびメモリ１１２を含む。メモリ１１２は、ＲＡＭ（Random Access Memory）およびＲＯＭ（Read Only Memory）等を含む。メモリ１１２は、ＣＰＵ１１１が実行するプログラムを記憶したり、ワークメモリとして機能したりする。制御部１１０は、ＣＰＵ１１１がメモリ１１２を用いてプログラムを実行することにより、各種の動作制御およびデータ処理等を行う。
【００３６】
通信部１２０は、ユーザ端末２００と通信するための通信インターフェースである。通信部１２０は、ユーザ端末２００へのデータを送信したり、ユーザ端末２００からのデータを受信したりする。通信部１２０による通信は、無線通信あるいは有線通信のいずれであってもよい。本実施形態において、通信部１２０は、近距離無線通信によりユーザ端末２００と通信するものを想定して説明する。しかし、通信部１２０は、これに限定されず、通信ケーブルを用いて通信するものであってもよいし、ＬＡＮ（Local Area Network）のようなネットワークを介して通信するものであってもよい。
【００３７】
記憶部１３０は、測定端末１００を制御するためのプログラム、測定端末１００の各種機能を設定するための設定データ、生体センサ１６０および加速度センサ１７０が測定した測定データ等を記憶する。また、記憶部１３０は、プログラムが実行されるときのワークメモリとして用いられてもよい。
【００３８】
操作部１４０は、例えばタッチパネルおよび操作ボタン（操作キー）等の操作デバイスを含む。操作部１４０は、ユーザによる操作を検出し、操作内容を示す操作信号を制御部１１０へ出力する。
【００３９】
表示部１５０は、表示画面（例えば、ＬＣＤ（Liquid Crystal Display）またはＥＬ（Electroluminescence）ディスプレイ等）およびインジケータ等を含む。表示部１５０は、制御部１１０からの制御信号に従って情報を表示する。
【００４０】
生体センサ１６０は、ユーザの生体情報を測定する。例えば、生体センサ１６０は、血圧センサ１６１を含む。血圧センサ１６１は、ユーザの生体情報として血圧を測定する。制御部１１０は、測定された血圧に測定時刻および測定場所等を紐づけて、測定データを生成する。測定時刻は、図示しない時計部による時刻情報に基づいて算出される。また、測定場所は、図示しない場所特定部（例えば、ＧＰＳ（Global Positioning System））による場所情報に基づいて特定される。
【００４１】
血圧センサ１６１は、例えば、連続測定型の血圧センサである。連続測定型の血圧センサは、血圧（例えば、収縮期血圧および拡張期血圧）を連続測定する。連続測定型の血圧センサは、１拍ごとの血圧を連続測定するが、これに限定されるものではない。
【００４２】
例えば、連続測定型の血圧センサとして、ＰＴＴ方式、トノメトリ方式、光学方式、電波方式、または超音波方式等を用いた連続測定型の血圧センサが適用できる。ＰＴＴ方式は、脈波伝播時間（ＰＴＴ；Pulse Transmit Time）を測定し、測定した脈波伝播時間から血圧を推定する方式である。トノメトリ方式は、手首の橈骨動脈等の動脈が通る生体部位に圧力センサを直接接触させて、圧力センサが検出する情報を用いて血圧を測定する方式である。光学方式、電波方式、および超音波方式はそれぞれ、光、電波、および超音波のそれぞれを血管にあててその反射波から血圧を測定する方式である。
【００４３】
また、血圧センサ１６１は、連続測定不可能な血圧センサ（以下、非連続型の血圧センサと称す）を含んでもよい。非連続型の血圧センサは、例えば、カフを圧力センサとして用いてユーザの血圧を測定する（オシロメトリック法）。非連続型の血圧センサ（特に、オシロメトリック法の血圧センサ）は、連続型の血圧センサに比べて、測定精度が高い傾向にある。このため、血圧センサ１６１は、何らかの条件が満足したことをトリガとして、連続型の血圧センサに代えて非連続型の血圧センサを作動させてもよい。これにより、血圧センサ１６１は、血圧をより高い精度で測定することができる。
【００４４】
なお、生体センサ１６０は、血圧センサ１６１以外のセンサを含むことで、生体情報として、血圧の他に、脈波、脈拍、心電、心拍、および体温等を測定することができる。
【００４５】
加速度センサ１７０は、測定端末１００の本体が受ける加速度を測定する。例えば、加速度センサ１７０は、３軸または６軸の加速度を測定する。制御部１１０は、測定された加速度からユーザの活動情報を算出する。制御部１１０は、ユーザの活動情報からユーザの睡眠状態を確認する。
【００４６】
なお、測定端末１００（第１測定端末）以外に、図示せぬ測定端末（第２測定端末）が設けられてもよい。第２測定端末は、例えば、ユーザの体重等の生体情報を測定する。そして、第２測定端末は、測定された体重に測定時刻等を紐づけて、測定データを生成する。第２測定端末はユーザ端末２００に例えば無線接続され、測定データはユーザ端末２００に送信される。これに限らず、第２測定端末の測定データは、ユーザによってユーザ端末２００に手入力されてもよい。さらに、図示せぬ複数の測定端末が設けられてもよく、これらもユーザ端末２００に例えば無線接続される。
【００４７】
＜ユーザ端末２００＞
次に、図３を用いて、本実施形態に係るユーザ端末２００のハードウェア構成の一例について説明する。図３は、実施の形態に係るユーザ端末２００のハードウェア構成の一例を模式的に例示する。
【００４８】
図３に示されるとおり、本実施形態に係るユーザ端末２００は、制御部２１０、記憶部２２０、操作部２３０、通信部２４０、および表示部２５０を含む。
【００４９】
制御部２１０は、ＣＰＵ２１１およびメモリ２１２を含む。メモリ２１２は、ＲＡＭおよびＲＯＭ等を含む。メモリ２１２は、ＣＰＵ２１１が実行するプログラムを記憶したり、ワークメモリとして機能したりする。制御部２１０は、ＣＰＵ２１１がメモリ２１２を用いてプログラムを実行することにより、各種の動作制御およびデータ処理等を行う。
【００５０】
記憶部２２０は、例えばハードディスクドライブ、ソリッドステートドライブ等の補助記憶装置であり、制御部２１０で実行されるプログラムを記憶する。また、記憶部２２０は、測定端末１００で生成された測定データ等を記憶してもよい。また、記憶部２２０は、表示部２５０に表示する表示データ等を記憶してもよい。
【００５１】
操作部２３０は、例えば、表示部２５０の表示画面上に設けたタッチパネルを含む。操作部２３０は、これに限らず、操作ボタン、キーボードおよびマウス等を含んでもよい。操作部２３０は、ユーザによる操作を検出し、操作内容を示す操作信号を制御部２１０へ出力する。操作部２３０によって、測定データが手入力されてもよい。
【００５２】
通信部２４０は、測定端末１００および健康管理装置３００と通信するための通信インターフェースである。通信部２４０は、測定端末１００へのデータを送信したり、測定端末１００からのデータを受信したりする。また、通信部２４０は、ネットワーク４００を介して健康管理装置３００へのデータを送信したり、健康管理装置３００からのデータを受信したりする。通信部２４０による通信は、無線通信あるいは有線通信のいずれであってもよい。本実施形態において、ネットワークは例えばインターネット等を想定して説明するが、これに限定されず、ＬＡＮのような他の種類のネットワークであってもよく、ＵＳＢケーブル等の通信ケーブルを用いた１対１の通信であってもよい。
【００５３】
表示部２５０は、表示画面（例えば、ＬＣＤまたはＥＬディスプレイ等）を含む。表示部２５０は、制御部２１０からの制御信号に従って情報を表示する。表示部２５０は、健康管理装置３００によって起動される双六を表示する。
【００５４】
＜健康管理装置３００＞
次に、図４を用いて、本実施形態に係る健康管理装置３００のハードウェア構成の一例について説明する。図４は、実施の形態に係る健康管理装置３００のハードウェア構成の一例を模式的に例示する。
【００５５】
図４に示されるとおり、本実施形態に係る健康管理装置３００は、制御部３１０、記憶部３２０、および通信部３３０を含む。
【００５６】
制御部３１０は、ＣＰＵ３１１およびメモリ３１２を含む。メモリ３１２は、ＲＡＭおよびＲＯＭ等を含む。メモリ３１２は、ＣＰＵ３１１が実行するプログラムを記憶したり、ワークメモリとして機能したりする。制御部３１０は、ＣＰＵ３１１がメモリ３１２を用いてプログラムを実行することにより、各種の動作制御およびデータ処理等を行う。
【００５７】
記憶部３２０は、例えばハードディスクドライブ、ソリッドステートドライブ等の補助記憶装置であり、制御部３１０で実行される健康管理プログラム３２１を記憶する。
【００５８】
通信部３３０は、ユーザ端末２００と通信するための通信インターフェースである。通信部３３０は、ネットワーク４００を介してユーザ端末２００へのデータを送信したり、ユーザ端末２００からのデータを受信したりする。通信部３３０による通信は、無線通信あるいは有線通信のいずれであってもよい。
【００５９】
［機能構成］
＜健康管理装置３００＞
次に、図５を用いて、本実施形態に係る健康管理装置３００における制御部３１０の機能構成の一例を説明する。図５は、実施の形態に係る健康管理装置３００における制御部３１０の機能構成の一例を模式的に例示する。
【００６０】
健康管理装置３００の制御部３１０は、記憶部３２０に記憶された健康管理プログラム３２１をメモリ３１２に展開する。そして、制御部３１０は、メモリ３１２に展開された健康管理プログラム３２１をＣＰＵ３１１（プロセッサ）により解釈および実行して、各構成要素を制御する。これにより、図５に示されるとおり、本実施形態に係る健康管理装置３００の制御部３１０は、起動部３１３、取得部３１４、判定部３１５、決定部３１６、更新部３１７、および付与部３１８を備えるコンピュータとして機能する。
【００６１】
起動部３１３は、双六を実行するための双六情報を管理し、双六を起動する。
【００６２】
図６は、実施の形態に係る起動部３１３によって起動される双六の一例を模式的に例示する。
【００６３】
図６に示されるとおり、双六は、開始区画（スタート）１０と終了区画（ゴール）３０とを含む。双六は、開始区画１０と終了区画３０とを結ぶ複数の区画２０を含む。また、双六は、ユーザのコマ４０が開始区画１０から終了区画３０に向かって複数の区画２０を進むように構成される。なお、双六の終了区画３０をユーザの目標値として設定してもよい。
【００６４】
再度、図５に示されるとおり、取得部３１４は、測定端末１００または図示せぬ測定端末で測定されたユーザの生体情報の測定データを取得する。測定データは、測定された生体情報、測定時刻、および測定場所等の情報を含む。ここでは、生体情報が血圧または体重である場合を例に説明する。しかし、これに限らず、生体情報は、脈波、脈拍、心電、心拍、および体温等が用いられてもよい。
【００６５】
また、取得部３１４は、取得した測定データが同日かつ同時間帯での初めてのデータであるか否かを判断する。取得部３１４は、取得した測定データが同日かつ同時間帯での初めてのデータである場合、その測定データを有効とする。一方、取得部３１４は、取得した測定データが同日かつ同時間帯での初めてのデータではない場合、その測定データを無効とする。すなわち、本例では、同日かつ同時間帯において、１回の測定データのみが有効となり、２回目以降の測定データは無効となる。本例では、例えば、１日は、朝（例えば４時から１１時５９分）、晩（１９時から１時５９分）、および夜間（２時から３時５９分）の時間帯に分けられる。夜間は、ユーザの睡眠時を示し、測定端末１００によって睡眠を認識してもよい。
【００６６】
判定部３１５は、取得された測定データに基づいて、測定データの評価値を判定する。より具体的には、まず、判定部３１５は、ユーザの健康情報を取得する。次に、判定部３１５は、ユーザの健康情報を確認し、その健康情報に基づく所定条件を判別する。次に、判定部３１５は、測定データが判別された所定条件を満たすか否かを判定する。そして、判定部３１５は、測定データが所定条件を満たさない場合に評価値を第１値と判定する。一方、判定部３１５は、測定データが所定条件を満たす場合に評価値を第１値よりも評価が高い第２値と判定する。なお、評価値については、２つの値（第１値および第２値）に限らず、３つ以上の値があってもよい。
【００６７】
ここで、測定データの評価値とは、測定データのユーザに対する重要度を示す値である。また、ユーザの健康情報とは、ユーザの健康状態を表す情報であり、例えば、医療機関の診断による診断結果等を表す。また、健康情報（健康状態）に基づく所定条件は、健康状態の発症要因（発症時間および発症場所）等に応じて設定された条件である。
【００６８】
図７は、実施の形態に係る健康状態と所定条件との対応関係の一例を例示する。すなわち、判定部３１５は、これらの対応関係を参照し、測定データが健康情報に基づく所定条件を満たすか否かを判定する。この対応関係テーブルは、記憶部３２０に記憶される。上述したように、測定データは、生体情報（血圧および体重等）、測定時刻、および測定場所等を含む。
【００６９】
図７に示されるとおり、脳梗塞または心筋梗塞は、朝に発症する可能性が高い。このため、脳梗塞または心筋梗塞であるユーザにとっては、朝に測定された血圧の情報が重要である。従って、判定部３１５は、ユーザの健康状態が脳梗塞または心筋梗塞である場合、測定データが朝に測定した血圧であるか否かを判定する。その結果、判定部３１５は、測定データが朝に測定した血圧である場合、評価値を高く判定する。
【００７０】
また、睡眠時無呼吸症候群（ＳＡＳ）は、夜間に発症する。このため、睡眠時無呼吸症候群のユーザにとっては、夜間に測定された血圧の情報が重要である。従って、判定部３１５は、ユーザの健康状態が睡眠時無呼吸症候群である場合、測定データが夜間に測定した血圧であるか否かを判定する。その結果、判定部３１５は、測定データが夜間に測定した血圧である場合、評価値を高く判定する。
【００７１】
なお、睡眠時無呼吸症候群の場合、夜間の無呼吸による血圧の急激な変化（血圧サージ）の測定が重要である。従って、夜間の血圧が連続測定されることが望ましい。
【００７２】
また、職場高血圧は、職場で発症する。このため、職場高血圧であるユーザにとっては、職場で測定された血圧の情報が重要である。従って、判定部３１５は、ユーザの健康状態が職場高血圧である場合、測定データが職場で測定した血圧であるか否かを判定する。その結果、判定部３１５は、測定データが職場で測定した血圧である場合、評価値を高く判定する。
【００７３】
また、体重は、１日の間で変化する。このため、ダイエット対象者であるユーザにとっては、指定された時間帯、すなわち同じ時間帯（例えば、朝または晩）に測定した体重の情報が重要である。従って、判定部３１５は、ユーザがダイエット対象者である場合、指定された時間帯で測定した体重であるか否かを判定する。その結果、判定部３１５は、測定データが指定された時間帯で測定した体重である場合、評価値を高く判定する。
【００７４】
あるいは、ダイエット対象者であるユーザにとっては、複数の時間帯（例えば、朝および晩）に測定した体重の情報も重要である。従って、判定部３１５は、ユーザがダイエット対象者である場合、複数の時間帯で体重が測定された場合、評価値を高く判定してもよい。例えば、判定部３１５は、すでに朝の測定データが取得された状態で晩の測定データが取得された場合に、評価値を高く判定してもよい。
【００７５】
なお、健康状態および所定条件については、上記に限らず、他の健康状態および他の所定条件を適宜設定してもよい。
【００７６】
再度、図５に示されるとおり、決定部３１６は、判定された評価値に基づいて、双六におけるコマ４０が進む区画数を決定する。より具体的には、決定部３１６は、判定された評価値が低い（第１値である）場合、コマ４０が進む区画数を第１数（例えば、１区画）に決定する。一方、決定部３１６は、判定された評価値が高い（第２値である）場合、コマ４０が進む区画数を第１数よりも大きい第２数（例えば、２区画）に決定する。
【００７７】
なお、コマ４０が進む区画数については、２つ（第１数および第２数）に限らず、３つ以上であってもよい。また、各区画２０において、各種イベントが発生してもよい。
【００７８】
更新部３１７は、決定された区画数に基づいて、コマ４０の位置情報を更新する。位置情報は、コマ４０が位置する区画２０を表す。そして、更新部３１７は、更新された位置情報を記憶する。また、更新部３１７は、コマ４０が終了区画３０まで進んだか否か（更新された位置情報が表す区画２０が終了区画３０となったか否か）を判断する。
【００７９】
付与部３１８は、位置情報が表す区画２０が終了区画３０となった場合、すなわち、コマ４０がゴールした場合、ユーザに対してポイントを付与する。ポイントは、所定の景品に交換することが可能としてもよい。なお、付与部３１８は、ユーザに対してポイントではなく、クーポン等を発行してもよい。
【００８０】
なお、上述した健康管理装置３００が実現する機能（処理）の一部は、ユーザ端末２００が実施してもよい。
【００８１】
§３  動作例
［健康管理装置３００］
次に、図８を用いて、本実施形態に係る健康管理装置３００の動作例を説明する。図８は、実施の形態に係る健康管理装置３００の処理手順の一例を例示するフローチャートである。なお、以下で説明する処理手順は一例に過ぎず、各処理は可能な限り変更されてもよい。また、以下で説明する処理手順について、実施の形態に応じて、適宜、ステップの省略、置換、および追加が可能である。
【００８２】
（ステップＳ１１）
ステップＳ１１では、制御部３１０は、起動部３１３として機能し、双六を起動する。
【００８３】
（ステップＳ１２）
次のステップＳ１２では、制御部３１０は、取得部３１４として機能し、測定端末１００または測定端末１００以外の測定端末で測定されたユーザの生体情報の測定データを取得する。
【００８４】
（ステップＳ１３）
次のステップＳ１３では、制御部３１０は、取得部３１４として機能する。ステップＳ１３では、制御部３１０は、ステップＳ１２で取得された測定データが同日かつ同時間帯での初めてのデータであるか否かを判断する。そして、ステップＳ１３において測定データが同日かつ同時間帯での初めてのデータである場合、処理はステップＳ１４に進む。一方、ステップＳ１３において測定データが同日かつ同時間帯での初めてのデータではない場合（２回目以降のデータである場合）、処理はステップＳ１２に戻る。すなわち、ステップＳ１２において、制御部３１０は、次の測定データを取得する。
【００８５】
本例では、例えば、１日が朝、晩、および夜間の時間帯に分けられる。すなわち、本例では、朝、晩、および夜間のそれぞれにおいて、１回の測定データのみが有効となる。例えば、ユーザが朝に２回の測定を行ったとしても、朝の２回目以降の測定データは無効となる。
【００８６】
（ステップＳ１４）
次のステップＳ１４では、制御部３１０は、取得部３１４として機能する。ステップＳ１３において測定データが同日かつ同時間帯での初めてのデータである場合、ステップＳ１４において制御部３１０は測定データに基づいて測定データの評価値を判定する。
【００８７】
（ステップＳ１５）
次のステップＳ１５では、制御部３１０は、決定部３１６として機能し、ステップＳ１３で判定された評価値に基づいてコマ４０が進む区画数が決定される。
【００８８】
（ステップＳ１６）
次のステップＳ１６では、制御部３１０は、更新部３１７として機能し、ステップＳ１５で決定された区画数に基づいてコマ４０の位置情報を更新する。
【００８９】
（ステップＳ１７）
次のステップＳ１７では、制御部３１０は、更新部３１７として機能し、コマ４０が終了区画３０まで進んだか否か（位置情報が表す区画２０が終了区画３０となったか否か）を判断する。そして、ステップＳ１７においてコマ４０が終了区画３０まで進んだ場合、処理はステップＳ１７に進む。一方、ステップＳ１７においてコマ４０が終了区画３０まで進んでいない場合、処理はステップＳ１２に戻る。すなわち、ステップＳ１２において、制御部３１０は、次の測定データを取得する。
【００９０】
（ステップＳ１８）
次のステップＳ１８では、制御部３１０は、付与部３１８として機能する。ステップＳ１７においてコマ４０が終了区画３０まで進んだ場合、ステップＳ１８において制御部３１０はユーザに対してポイントを付与する。
【００９１】
このようにして、本実施形態に係る健康管理装置３００の処理は、終了する。
【００９２】
次に、図９を用いて、図８のステップＳ１４，Ｓ１５をより詳細に説明する。図９は、実施の形態に係る健康管理装置３００の処理手順の一例を例示するフローチャートであり、図８のステップＳ１４，Ｓ１５（評価値の判定処理および区画数の決定処理）をより詳細に示す図である。
【００９３】
（ステップＳ２１）
ステップＳ１３に続くステップＳ２１では、制御部３１０は、判定部３１５として機能し、ユーザの健康状態を表す健康情報を取得する。
【００９４】
（ステップＳ２２）
次のステップＳ２２では、制御部３１０は、判定部３１５として機能し、測定データがユーザの健康情報に基づく所定条件を満たすか否かを判定する。そして、ステップＳ２２において測定データがユーザの健康情報に基づく所定条件を満たさない場合、処理はステップＳ２３に進む。一方、ステップＳ２３において測定データがユーザの健康情報に基づく所定条件を満たす場合、処理はステップＳ２５に進む。
【００９５】
（ステップＳ２３）
ステップＳ２３では、制御部３１０は、判定部３１５として機能する。ステップＳ２２において測定データがユーザの健康情報に基づく所定条件を満たさない場合、ステップＳ２３において制御部３１０は評価値を第１値と判定する。
【００９６】
（ステップＳ２４）
次のステップＳ２４では、制御部３１０は、決定部３１６として機能する。ステップＳ２４において、制御部３１０は、ステップＳ２３で判定された第１値の評価値に基づいてコマ４０が進む区画数を第１数に決定する。
【００９７】
（ステップＳ２５）
ステップＳ２５では、制御部３１０は、判定部３１５として機能する。ステップＳ２２において測定データがユーザの健康情報に基づく所定条件を満たす場合、ステップＳ２５において制御部３１０は評価値を第１値よりも評価が高い第２値と判定する。
【００９８】
（ステップＳ２６）
次のステップＳ２６では、制御部３１０は、決定部３１６として機能する。ステップＳ２６において、制御部３１０は、ステップＳ２５で判定された第２値の評価値に基づいてコマ４０が進む区画数を第１数よりも大きい第２数に決定する。
【００９９】
このようにして、評価値の判定処理および区画数の決定処理が終了し、処理はステップＳ１６に進む。
【０１００】
§４  作用・効果
以上のように、本実施形態では、健康管理装置３００は、ユーザに対して双六を起動する。そして、健康管理装置３００は、ユーザの生体情報の測定データを取得し、取得された測定データに基づいて双六におけるユーザのコマ４０を進める。これにより、ユーザが生体情報を測定するためのモチベーションを上げることができる。
【０１０１】
また、健康管理装置３００は、双六においてコマ４０が進んだ場合、そのコマ４０の位置情報を更新しかつ記憶する。そして、健康管理装置３００は、次の測定データを取得すると、位置情報をさらに更新しかつ記憶する。すなわち、随時取得される測定データは、継続して双六に用いられる。これにより、仮にユーザが１度（例えば１日）測定を忘れた場合であっても、ユーザはその後の測定に対してモチベーションを維持することができる。
【０１０２】
また、健康管理装置３００は、測定データおよびユーザの健康情報に基づいて評価値、すなわち、重要度を判定する。そして、判定された評価値に基づいて、双六におけるコマ４０が進む区画数が決定される。例えば、評価値が高ければ、コマ４０が進む区画数は多くなる。これにより、ユーザが重要度の高い生体情報を測定するためのモチベーションを高くすることができる。従って、ユーザに対して重要度の高い測定データを取得することができ、健康管理の質を高めることができる。
【０１０３】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【０１０４】
１００…測定端末、
１１０…制御部、１２０…通信部、１３０…記憶部、
１４０…操作部、１５０…表示部、１６０…生体センサ、
１７０…加速度センサ、
１１１…ＣＰＵ、１１２…メモリ、
１６１…血圧センサ、
２００…ユーザ端末、
２１０…制御部、２２０…記憶部、２３０…操作部、
２４０…通信部、２５０…表示部、
２１１…ＣＰＵ、２１２…メモリ、
３００…健康管理装置、
３１０…制御部、３２０…記憶部、３３０…通信部、
３１１…ＣＰＵ、３１２…メモリ、
３１３…起動部、３１４…取得部、３１５…判定部、
３１６…決定部、３１７…更新部、３１８…付与部、
３２１…健康管理プログラム、
１０…開始区画、２０…区画、３０…終了区画、４０…コマ
【図１】
2019003569.tif 000003
【図２】
2019003569.tif 000004
【図３】
2019003569.tif 000005
【図４】
2019003569.tif 000006
【図５】
2019003569.tif 000007
【図６】
2019003569.tif 000008
【図７】
2019003569.tif 000009
【図８】
2019003569.tif 000010
【図９】
2019003569.tif 000011